(57)【要約】【課題】規模の増大を抑制することが可能なカメラ装置及びそれを備えた無線通信端末を提供すること。【解決手段】本発明のカメラ装置２００は、カメラ本体部と、短縮することによりカメラ本体部内に収納され、伸長することによりカメラ本体部外に突出する、伸縮機構を有するファインダ部２０５と、を備え、ファインダ部２０５は、対物レンズ２０９と、ファインダ部２０５の伸縮方向とは異なる方向への移動機構を有する接眼レンズ２１０と、対物レンズ２０９を通過した光信号を接眼レンズ２１０に向けて反射するミラー２１１と、を有する。【選択図】図３
2014204280.tif 000002
【特許請求の範囲】
【請求項１】
カメラ本体部と、
短縮することにより前記カメラ本体部内に収納され、伸長することにより前記カメラ本体部外に突出する、伸縮機構を有するファインダ部と、を備え、
前記ファインダ部は、
対物レンズと、
前記ファインダ部の伸縮方向とは異なる方向への移動機構を有する接眼レンズと、
前記対物レンズを通過した光信号を前記接眼レンズに向けて反射するミラーと、を有する、カメラ装置。
【請求項２】
前記接眼レンズは、前記ファインダ部の伸縮方向と直角な方向への移動機構を有する、請求項１に記載のカメラ装置。
【請求項３】
前記接眼レンズは、前記ファインダ部が伸長している場合には、前記ファインダ部の外側に向けて移動し、前記ファインダ部が短縮している場合には、前記ファインダ部の内側に向けて移動する、請求項１又は２に記載のカメラ装置。
【請求項４】
前記ファインダ部は、
伸長した前記ファインダ部を短縮方向に押圧する外部からの力の一部を、前記接眼レンズを前記ファインダ部の内側に向けて押圧する力に変換するガイドをさらに備えた、請求項１〜３のいずれか一項に記載のカメラ装置。
【請求項５】
前記ミラーは、前記接眼レンズの移動に応じて回動する、請求項１〜４のいずれか一項に記載のカメラ装置。
【請求項６】
前記ミラーは、前記ファインダ部が伸長している場合には、当該ミラーによって反射された前記対物レンズの光軸と、前記接眼レンズの光軸と、が略一致する位置に回動し、前記ファインダ部が短縮している場合には、その反射面側に前記接眼レンズを収納するための空間領域が形成される位置に回動する、請求項１〜５のいずれか一項に記載のカメラ装置。
【請求項７】
前記ファインダ部は、
前記ファインダ部の伸長度合を調整する視度調整部をさらに備えた、請求項１〜６のいずれか一項に記載のカメラ装置。
【請求項８】
前記ファインダ部は、
前記ミラーの反射面とは反対の面側に形成された別の空間領域に照明をさらに備える、請求項１〜７のいずれか一項に記載のカメラ装置。
【請求項９】
前記カメラ本体部は、
被写体の光信号を取り込む撮影レンズと、
前記撮影レンズによって取り込まれた光信号を電気信号に変換するイメージセンサと、
前記イメージセンサによる変換結果を画像として表示する表示部と、を備え、
前記対物レンズは、前記表示部に表示された画像を光信号として取り込む、請求項１〜８のいずれか一項に記載のカメラ装置。
【請求項１０】
請求項１〜９のいずれか一項に記載のカメラ装置を備えた無線通信端末。
【請求項１１】
カメラ本体部と、
短縮することにより前記カメラ本体部内に収納され、伸長することにより前記カメラ本体部外に突出する、伸縮機構を有するファインダ部と、を備え、
前記ファインダ部は、
対物レンズと、
接眼レンズと、
前記対物レンズを通過した光信号を前記接眼レンズに向けて反射する反射部材と、
前記反射部材の反射領域とは別に形成された空間領域に設けられた照明と、を有する、カメラ装置。
【請求項１２】
前記反射部材は、ミラーである、請求項１１に記載のカメラ装置。
【請求項１３】
前記反射部材は、プリズムである、請求項１１に記載のカメラ装置。
【請求項１４】
請求項１１〜１３のいずれか一項に記載のカメラ装置を備えた無線通信端末。
【発明の詳細な説明】
【技術分野】
【０００１】
本発明は、カメラ装置及びそれを備えた無線通信端末
【背景技術】
【０００２】
従来からファインダ付きのカメラ装置の開発が進んでいる。また、ファインダ付きカメラ装置のスマートフォンなどの無線通信端末への適用が検討されている。
【０００３】
関連する技術が特許文献１に開示されている。特許文献１には、接眼レンズ部の光軸に対して移行するスライド筐体と、スライド筐体に摺接しカメラ本体部と軸着する回転筐体と、によって構成された可動式ビューファインダが開示されている。それにより、この可動式ビューファインダは、携帯性及び操作性を向上させている。
【先行技術文献】
【特許文献】
【０００４】
【特許文献１】特開２００１−２８７００号公報
【発明の概要】
【発明が解決しようとする課題】
【０００５】
しかしながら、特許文献１に開示された可動式ビューファインダでは、スライド筐体をスライドしてビューファインダの全長を短くした場合でも、依然としてビューファインダの規模は十分に小さくなっていない。例えば、この可動式ビューファインダ付きのカメラ装置が無線通信端末に適用された場合、当該無線通信端末の規模が増大してしまう。
【０００６】
このように、従来技術のカメラ装置及びそれを備えた無線通信端末では、依然として規模が増大してしまうという問題があった。
【課題を解決するための手段】
【０００７】
本発明に係るカメラ装置は、カメラ本体部と、短縮することにより前記カメラ本体部内に収納され、伸長することにより前記カメラ本体部外に突出する、伸縮機構を有するファインダ部と、を備え、前記ファインダ部は、対物レンズと、前記ファインダ部の伸縮方向とは異なる方向への移動機構を有する接眼レンズと、前記対物レンズを通過した光信号を前記接眼レンズに向けて反射するミラーと、を有する。
【０００８】
また、本発明に係るカメラ装置は、カメラ本体部と、短縮することにより前記カメラ本体部内に収納され、伸長することにより前記カメラ本体部外に突出する、伸縮機構を有するファインダ部と、を備え、前記ファインダ部は、対物レンズと、接眼レンズと、前記対物レンズを通過した光信号を前記接眼レンズに向けて反射する反射部材と、前記反射部材の反射領域とは別に形成された空間領域に設けられた照明と、を有する。
【発明の効果】
【０００９】
本発明によれば、規模の増大を抑制することが可能なカメラ装置及びそれを備えた無線通信端末を提供することができる。
【図面の簡単な説明】
【００１０】
【図１Ａ】実施の形態１にかかる無線通信端末の一例を示す外観図である。
【図１Ｂ】実施の形態１にかかる無線通信端末の一例を示す外観図である。
【図１Ｃ】実施の形態１にかかる無線通信端末の一例を示す外観図である。
【図２】実施の形態１にかかる無線通信端末の内部構成の一例を示すブロック図である。
【図３】実施の形態１にかかる無線通信端末の断面図である。
【図４】実施の形態１にかかる無線通信端末の変形例を示す断面図である。
【図５】実施の形態２にかかる無線通信端末の断面図である。
【図６】実施の形態２にかかる無線通信端末の第１変形例を示す断面図である。
【図７】実施の形態２にかかる無線通信端末の第２変形例を示す断面図である。
【図８】実施の形態２にかかる無線通信端末の第３変形例を示す断面図である。
【図９】実施の形態３にかかる無線通信端末の断面図である。
【図１０】実施の形態３にかかる無線通信端末の第１変形例を示す断面図である。
【図１１】実施の形態３にかかる無線通信端末の第２変形例を示す断面図である。
【発明を実施するための形態】
【００１１】
＜実施の形態１＞
以下、図面を参照して本発明の実施の形態について説明する。
まず、図１Ａ、図１Ｂ及び図１Ｃを参照して、本実施の形態にかかるカメラ装置が適用される無線通信端末の概要について説明する。図１Ａ、図１Ｂ及び図１Ｃは、無線通信端末１００の構成例を示す外観図である。なお、図１Ａ、図１Ｂ及び図１Ｃでは、無線通信端末１００がスマートフォンである場合について示している。しかしながら、無線通信端末１００は、フィーチャーフォン、携帯ゲーム端末、タブレットＰＣ等のその他の無線通信端末であってもよい。
【００１２】
図１Ａ及び図１Ｂは、無線通信端末１００を形成する筐体１０１の一方の主面（前面）側から見た当該無線通信端末１００の外観を示している。なお、図１Ａは、ファインダ収納時（ファインダ不使用時）の無線通信端末１００の外観を示し、図１Ｂは、ファインダ使用時の無線通信端末１００の外観を示している。筐体１０１の前面には、ほぼ全領域に配置された液晶パネル(Liquid Cristal Panel)１０２と、タッチパネル１０３と、幾つかの操作ボタン１０４と、カメラ装置２００の一部である撮影レンズ２０１と、が配置されている。また、筐体１０１に対して伸縮機構を有するファインダ部２０５が設けられている。ファインダ部２０５は、短縮することにより筐体１０１（即ち、カメラ本体部）内に収納され、診療することにより筐体１０１（即ち、カメラ本体部）外に突出する。
【００１３】
図１Ｃは、筐体１０１の他方の主面（背面）側から見た無線通信端末１００の外観を示している。筐体１０１の背面には、例えば、カメラ装置２００の一部である撮影レンズ２０３が配置されている。
【００１４】
液晶パネル１０２は、その表示面が筐体１０１の前面に位置するように配置されている。なお、液晶パネル１０２は、有機ＥＬパネル(Organic Light-Emitting Diode Panel)等の他のディスプレイデバイス（表示部）に置き換えられてもよい。
【００１５】
タッチパネル１０３は、液晶パネル１０２の表示面を覆うように配置されるか、又は液晶パネル１０２の裏面側に配置される。そして、ユーザの指又はユーザが操作する専用の操作ペン（スタイラス）等で液晶パネル１０２のタッチ領域内に触れることで、無線通信端末１００を直観的に操作することができる。
【００１６】
操作ボタン１０４は、無線通信端末１００に対する補助的な操作に用いられる。なお、無線通信端末によっては、このような操作ボタンが設けられないこともある。撮影レンズ２０３は、筐体１０１の背面に位置するように配置されたメインの撮影レンズである。一方、撮影レンズ２０１は、筐体１０１の前面に位置するように配置されたサブの撮影レンズである。なお、サブの撮影レンズ２０１は設けられなくても良い。
【００１７】
続いて、図２を参照して、本実施の形態にかかる無線通信端末１００の内部構成を説明する。図２は、本実施の形態にかかる無線通信端末１００の内部構成の一例を示すブロック図である。図２に示すように、無線通信端末１００のメインボード１０には、アプリケーションプロセッサ１１、無線処理部１２、メモリ１３、電源管理部１５、ボイス回路１６、オーディオ回路１７及びセンサ１８等が搭載されている。このメインボード１０には、上述した液晶パネル１０２、タッチパネル１０３及びカメラ装置２００が接続されるほか、マイク１０７、スピーカ１０８、バッテリ１０９、ＵＳＢ１１０、メモリカード１１１及びアンテナ１１２等が接続される。
【００１８】
アプリケーションプロセッサ１１は、一般的には、さまざまな周辺回路が１つのパッケージに統合されたＳｏＣ(System On a Chip)デバイスであり、無線処理部１２等の通信関連のデバイスやタッチパネル１０３、カメラ装置２００等の周辺機器を接続するためのインターフェース等、多くのインターフェース回路が含まれる。
【００１９】
このアプリケーションプロセッサ１１は、メモリ１３に格納されたプログラムを読み出して、無線通信端末１００の各種機能を実現するための処理を行う。例えば、アプリケーションプロセッサ１１は、メモリ１３からＯＳ(Operating System)プログラムを読み出し実行するとともに、このＯＳプログラムを動作基板とするアプリケーションプログラムを実行する。
【００２０】
無線処理部１２は、ベースバンドプロセッサ１２１、無線ＬＡＮ１２２及びＢｌｕｅｔｏｏｔｈ(登録商標)１２３等を有する。ベースバンドプロセッサ１２１は、無線通信端末１００が送受信するデータに対して符号化（例えば、畳み込み符号やターボ符号等の誤り訂正符号化）処理又は複合化処理等を含むベースバンド処理を行う。より具体的には、ベースバンドプロセッサ１２１は、送信データをアプリケーションプロセッサ１１から受け取り、受け取った送信データに対して符号化処理を施し、さらに、搬送波により変調処理して送信信号を生成し、アンテナ１１２を介して送信信号を外部へ送信する。また、ベースバンドプロセッサ１２１は、アンテナ１１２を介して受信信号を受信し、この受信信号を搬送波により復調処理して受信データを生成し、さらに、この受信データに対して複合化処理を施してアプリケーションプロセッサ１１に送信する。
【００２１】
メモリ１３は、アプリケーションプロセッサ１１により利用されるプログラム及びデータを格納する。なお、メモリ１３には、電源が遮断されても記憶したデータを保持する不揮発性メモリ（フラッシュメモリ）と、電源が遮断された場合に記憶したデータがクリアされる揮発性メモリと、が含まれる。
【００２２】
バッテリ１０９は、電池であり、無線通信端末１００が外部電源によらずに動作する場合に利用される。なお、無線通信端末１００は、外部電源が接続されている場合においてもバッテリ１０９の電源を利用してもよい。また、バッテリ１０９としては、二次電池を利用することが好ましい。
【００２３】
電源管理部１５は、バッテリ１０９又は外部電源から内部電源を生成する。この内部電源は、無線通信端末１００の各ブロックに与えられる。このとき、電源管理部１５は、アプリケーションプロセッサ１１からの指示に基づいて、各ブロックに供給する内部電源の制御を行う。また、電源管理部１５は、外部電源の供給がある場合、バッテリ１０９への充電制御も行う。
【００２４】
オーディオ回路１７は、アプリケーションプロセッサ１１から送信される音声データをデコードしてスピーカ１０８を駆動する。ボイス回路１６は、マイク１０７から得た音声情報をエンコードして音声データを生成し、この音声データをアプリケーションプロセッサ１１に出力する。
【００２５】
センサ１８には、温度センサ、ＧＰＳ（Global Positioning System）システム等が含まれる。温度センサにより本体側が充電時にバッテリ温度を管理することができる。また、ＧＰＳを備えることで、無線通信端末１００の位置を高精度に測定することが可能であり、位置を正確に把握することで、目的地までのナビゲーションが可能になる。ここで、無線通信端末１００のＧＰＳシステムは、通信により位置測定を補助し、短期間での位置を測定するための機能を備える（A-GPS（Assisted GPS））。
【００２６】
液晶パネル１０２は、アプリケーションプロセッサ１１における処理に従い様々な画像を表示する。液晶パネル１０２において表示される画像には、ユーザが無線通信端末１００に動作指示を与えるユーザインタフェース画像、カメラ画像、動画等が表される。
【００２７】
カメラ装置２００は、アプリケーションプロセッサ１１からの指示に従い、画像を取得する。
【００２８】
＜実施の形態１にかかるカメラ装置２００の構成例＞
続いて、図３を参照して、本実施の形態にかかるカメラ装置２００の構成例を説明する。図３（ａ）は、ファインダ収納時のカメラ装置２００の構成例を示す断面図である。図３（ｂ）は、ファインダ使用時のカメラ装置２００の構成例を示す断面図である。以下では、カメラ装置２００が撮影レンズ２０１，２０３のうち撮影レンズ２０３のみを有する場合を例に説明する。
【００２９】
図３に示すように、カメラ装置２００は、撮影レンズ２０３と、イメージセンサ２０４と、液晶パネル１０２と、ファインダ部２０５と、を備える。なお、無線通信端末１００の筐体１０１がカメラ装置２００の本体部（カメラ本体部）に相当する。ファインダ部２０５は、ファインダ本体を構成するファインダ筐体２０６，２０７と、液晶パネル（表示部）２０８と、対物レンズ２０９と、接眼レンズ２１０と、ミラー（反射部材）２１１と、ファインダ窓２１２と、回転軸２１３と、を備える。
【００３０】
（撮影レンズ２０３、イメージセンサ２０４、液晶パネル１０２）
撮影レンズ２０３は、被写体を光信号としてカメラ装置２００に取り込む。イメージセンサ２０４は、撮影レンズ２０３によって取り込まれた光信号を電気信号に変換する（即ち、画像処理する）。イメージセンサ２０４による変換結果（画像）は、液晶パネル１０２又は液晶パネル２０８に表示される。
【００３１】
例えば、ファインダ収納時（図３（ａ））には、無線通信端末１００の筐体１０１の前面に配置された液晶パネル１０２に画像が表示され、ファインダ用の液晶パネル２０８には画像が表示されない。一方、ファインダ使用時（図３（ｂ））には、ファインダ用の液晶パネル２０８に画像が表示され、液晶パネル１０２には画像が表示されない。それにより、消費電力の増大が抑制される。なお、ファインダ使用時（図３（ｂ））に、液晶パネル１０２，２０８の両方に画像が表示されてもよい。
【００３２】
（ファインダ部２０５）
ファインダ筐体２０６は、例えば角柱形状であって、筐体１０１内部に固定して設けられている。ファインダ筐体２０６は、ファインダ筐体２０７に設けられた複数の部品の全部又は一部を収納可能な空間領域を有する。
【００３３】
ファインダ筐体２０７は、例えば角柱形状であって、ファインダ筐体２０６に対してスライド可能に設けられている。図３の例では、ファインダ筐体２０７は、スライド方向が筐体１０１の横方向（紙面の縦方向）となるように設けられている。即ち、ファインダ部２０５は、筐体１０１の横方向（紙面の縦方向）に伸縮可能となるように設けられている。
【００３４】
例えば、ファインダ収納時（図３（ａ））、ファインダ筐体２０７はスライドして筐体１０１内部に収納される。換言すると、ファインダ部２０５は短縮して筐体１０１内部に収納される。一方、ファインダ使用時（図３（ｂ））、ファインダ筐体２０７はスライドして筐体１０１外部にまで張り出す。換言すると、ファインダ部２０５は伸長して筐体１０１外部にまで張り出す。なお、ファインダ部２０５には、例えば、ファインダ筐体２０７をその伸長方向に付勢するバネ等の弾性体（不図示）と、当該弾性体によって付勢されたファインダ筐体２０７を所定の伸長位置又は収納位置に固定するストッパ（不図示）と、が設けられている。
【００３５】
ファインダ筐体２０６には、液晶パネル２０８が設けられている。より具体的には、液晶パネル２０８は、ファインダ筐体２０６の底面（紙面の下側の面；筐体１０１の内側寄りの面）付近に設けられている。なお、液晶パネル２０８は、その表示面がファインダ部２０５の伸長方向（紙面の上方向）を向くように設けられている。
【００３６】
ファインダ筐体２０７には、対物レンズ２０９、接眼レンズ２１０、ミラー２１１、ファインダ窓２１２及び回転軸２１３が設けられている。
【００３７】
対物レンズ２０９は、ファインダ筐体２０７の底面（紙面の下側の面；筐体１０１の内側寄りの面）付近に設けられている。なお、対物レンズ２０９は、その光軸がファインダ部２０５の伸縮方向（紙面の縦方向）を向くように設けられている。つまり、対物レンズ２０９は、その光軸が液晶パネル２０８の表示面と垂直になるように設けられている。
【００３８】
ミラー２１１は、対物レンズ２０９の出射側に設けられている。また、ミラー２１１の下端部には回転軸２１３が設けられている。
【００３９】
例えば、ファインダ収納時（図３（ａ））、ミラー２１１は、回転軸２１３を支点にして、その反射面が対物レンズ２０９の光軸と略平行となる方向（紙面の左方向）に回動する。それにより、ミラー２１１の反射面側には、接眼レンズ２１０及びファインダ窓２１２を収納する空間領域が形成される。一方、ファインダ使用時（図３（ｂ））、ミラー２１１は、回転軸２１３を支点にして、ミラー２１１によって反射された対物レンズ２０９の光軸と、接眼レンズ２１０の光軸と、が略一致する位置（初期位置）にまで（紙面の右方向に）回動する。図３の例では、ミラー２１１は、回転軸２１３を支点にして、その反射面が対物レンズ２０９の光軸に対して約１３５度の角度をなす位置にまで回動する。それにより、ミラー２１１は、対物レンズ２０９を通過した光を接眼レンズ２１０に向けて反射することが可能になる。
【００４０】
接眼レンズ２１０は、ファインダ筐体２０７の側面（紙面の右側の面；筐体１０１の前面側）付近に設けられている。なお、接眼レンズ２１０は、その光軸がファインダ部２０５の伸縮方向とは異なる方向を向くように設けられている。図３の例では、接眼レンズ２１０は、その光軸が筐体１０１の厚さ方向（紙面の横方向）を向くように設けられている。つまり、接眼レンズ２１０の光軸と、対物レンズ２０９の光軸とが、直角に交わる状態となっている。さらに、接眼レンズ２１０は、その光軸に沿って移動可能に設けられている。
【００４１】
ファインダ窓２１２は、接眼レンズ２１０よりもファインダ筐体２０７の外側に設けられている。さらに、ファインダ窓２１２は、接眼レンズ２１０とともに移動可能に設けられている。
【００４２】
例えば、ファインダ収納時（図３（ａ））、接眼レンズ２１０及びファインダ窓２１２は、その光軸に沿ってファインダ筐体２０７の内部方向（紙面の左方向）に移動する。それに伴って、ミラー２１１は反射面側に空間領域を形成するように回動する。そして、接眼レンズ２１０及びファインダ窓２１２は、ミラー２１１の反射面側に設けられた空間領域に収納される。つまり、ファインダ収納時（図３（ａ））、対物レンズ２０９、接眼レンズ２１０、ミラー２１１、ファインダ窓２１２は何れもファインダ筐体２０７内部に収納される。
【００４３】
一方、ファインダ使用時（図３（ｂ））、接眼レンズ２１０及びファインダ窓２１２は、その光軸に沿ってファインダ筐体２０７の外部方向（紙面の右方向）に移動する（それに伴って、ミラー２１１は、初期位置にまで回動し、対物レンズ２０９を通過した光を接眼レンズ２１０に向けて反射することが可能な状態となる）。それにより、少なくともファインダ窓２１２は、ファインダ筐体２０７（ファインダ本体）の外部に張り出す。その結果、液晶パネル２０８の表示面から対物レンズ２０９、ミラー２１１、接眼レンズ２１０を介してファインダ窓２１２までに必要な長さの光路長を確保することが可能となる。これは、無線通信端末１００の厚さが薄くなっている近年では、特に有効である。なお、ファインダ部２０５には、例えば、接眼レンズ２１０及びファインダ窓２１２をファインダ筐体２０７の外部方向に付勢するバネ等の弾性体（不図示）と、当該弾性体によって付勢された接眼レンズ２１０及びファインダ窓２１２を所定の張り出し位置に固定するストッパ（不図示）と、が設けられている。
【００４４】
ガイド２１４は、例えば、ファインダ窓２１２の下端部又はその付近に設けられる。ここで、ファインダ部２０５を収納する場合、伸長したファインダ部２０５を短縮方向（紙面の下方向）に押圧することで、ファインダ部２０５は短縮して筐体１０１内部に収納される。このとき、ガイド２１４は、伸長したファインダ部２０５を短縮方向に押圧する力の一部を、ファインダ筐体２０７から張り出したファインダ窓２１２（及び接眼レンズ２１０）をファインダ筐体２０７の内部方向（紙面の左方向）に押圧する力に変換する。それにより、伸長したファインダ部２０５を短縮方向に押圧するだけで、ファインダ筐体２０７から張り出したファインダ窓２１２がファインダ筐体２０７の内部に収納され、かつ、そのファインダ筐体２０７がスライドして筐体１０１内部に収納される。なお、ガイド２１４は、上記と同様の機能を実現できるのであれば、ファインダ部２０５のどこに設けられてもよい。
【００４５】
要するに、ファインダ収納時（図３（ａ））、対物レンズ２０９、接眼レンズ２１０、ミラー２１１、ファインダ窓２１２は何れもファインダ筐体２０７内部に収納され、そのファインダ筐体２０７は筐体１０１の内部に収納される。それにより、ファインダ部２０５の規模が小さくなる。それにより、カメラ装置２００及びそれを備えた無線通信端末１００の規模も小さくなる。
【００４６】
一方、ファインダ使用時（図３（ｂ））、ファインダ部２０５は伸長して筐体１０１の外部にまで張り出す。そして、ファインダ窓２１２（及び接眼レンズ２１０）は、ファインダ部２０５の伸長方向と異なる方向（直角方向）に移動して、ファインダ筐体２０７から張り出す。それにより、液晶パネル２０８の表示面から対物レンズ２０９、ミラー２１１、接眼レンズ２１０を介してファインダ窓２１２までに必要な長さの光路長を確保することが可能となる。
【００４７】
なお、ファインダ使用時（図３（ｂ））、対物レンズ２０９は、液晶パネル２０８に表示された画像の光束を集光して焦点に実像を作る。この実像は、ミラー２１１によって接眼レンズ２１０に反射される。接眼レンズ２１０は、対物レンズ２０９によって作られミラー２１１によって反射された実像を拡大する。接眼レンズ２１０によって拡大された実像（画像）は、ファインダ窓２１２を覗き込むことで確認することができる。
【００４８】
このように、本実施の形態にかかるカメラ装置２００では、接眼レンズ２１０が、ファインダ本体の伸縮方向とは異なる方向に移動可能に構成されている。それにより、本実施の形態にかかるカメラ装置２００は、ファインダ収納時に、接眼レンズ２１０をファインダ本体内部に収納することができるため、規模を小さくすることができる。さらに、本実施の形態にかかるカメラ装置２００は、ファインダ使用時に、接眼レンズ２１０をファインダ本体から張り出させることができるため、必要な光路長を確保することができる。
【００４９】
また、本実施の形態にかかるカメラ装置２００は、ファインダ収納時、ファインダ窓２１２（接眼部分）を筐体１０１内部に完全に収納することができるため、ファインダ窓２１２の汚れを防ぐことができるとともに、デザイン性を向上させることができる。なお、液晶パネル１０２は、ファインダ部２０５の影響を受けることなく、筐体１０１前面のほぼ全領域に配置されることができる。
【００５０】
（実施の形態１にかかるカメラ装置２００の変形例）
次に、図４を参照して、本実施の形態にかかるカメラ装置２００の変形例について説明する。図４（ａ）は、ファインダ収納時のカメラ装置２００の変形例を示す断面図である。図４（ｂ）は、ファインダ使用時のカメラ装置２００の変形例を示す断面図である。
【００５１】
図３に示すカメラ装置２００では、ミラー２１１の下端部に回転軸２１３が設けられていたのに対し、図４に示すカメラ装置２００では、ミラー２１１の中央付近を通るように回転軸２１３が設けられている。図４に示すカメラ装置２００のその他の構成については、図３に示すカメラ装置２００の場合と同様であるため、その説明を省略する。
【００５２】
図４に示すカメラ装置２００は、ファインダ収納時（図４（ａ））におけるミラー２１１の反射面側の空間領域が若干小さくなるものの、図３に示すカメラ装置２００と同等の効果を奏することができる。
【００５３】
＜実施の形態２＞
図５を参照して、実施の形態２にかかるカメラ装置２００の構成例について説明する。図５（ａ）は、ファインダ収納時のカメラ装置２００の構成例を示す断面図である。図５（ｂ）は、ファインダ使用時の視度調整前のカメラ装置２００の構成例を示す断面図である。図５（ｃ）は、ファインダ使用時の視度調整後のカメラ装置２００の構成例を示す断面図である。
【００５４】
図５に示すカメラ装置２００は、図３に示すカメラ装置２００と比較して、視度調整部をさらに備える。視度調整部は、例えば、ストッパ部材２１５と、視度調整ダイヤル２１６と、軸２１７と、ストッパねじ２１８と、を備える。図５に示すカメラ装置２００のその他の構成については、図３に示すカメラ装置２００の場合と同様であるため、その説明を省略する。
【００５５】
軸２１７は、ファインダ筐体２０７のスライド方向に沿うようにファインダ筐体２０７に取り付けられている。図５の例では、軸２１７は、ファインダ筐体２０７の側面のうち接眼レンズ２１０が設けられた側面と対向する側面付近に設けられている。
【００５６】
軸２１７の上端部（紙面の上側の端部）付近には、視度調整ダイヤル２１６が設けられている。また、軸２１７の下端部（紙面の下側の端部）付近には、ストッパねじ２１８が設けられている。例えば、軸２１７の下端部は雄ねじ形状を有し、ストッパねじ２１８は雌ねじ形状を有する。ファインダ使用時（図５（ｂ）（ｃ））、筐体１０１の外部に露出した視度調整ダイヤル２１６をユーザが回動することにより、それに連動して軸２１７も回動する。それにより、視度調整ダイヤル２１６に対するストッパねじ２１８の相対位置が微調整される。
【００５７】
ストッパ部材２１５は、筐体１０１側に固定して設けられている。ファインダ使用時（図５（ｂ）（ｃ））、バネ等の弾性体（不図示）によって付勢されたファインダ筐体２０７は、ストッパ部材２１５とストッパねじ２１８とが当接することにより所定の伸長位置に固定される。したがって、視度調整ダイヤル２１６を回動してストッパねじ２１８の相対位置を微調整することにより、ファインダ使用時にファインダ筐体２０７が固定される位置も微調整される。つまり、ファインダ使用時に、光路長を微調整して視度調整することが可能になる。
【００５８】
このように、本実施の形態にかかるカメラ装置２００は、実施の形態１にかかるカメラ装置２００と同等の効果を奏することができるとともに、視度調整部を用いて光路長を微調整して視度調整することができる。
【００５９】
（実施の形態２にかかるカメラ装置２００の第１変形例）
次に、図６を参照して、本実施の形態にかかるカメラ装置２００の第１変形例について説明する。図６（ａ）は、ファインダ収納時のカメラ装置２００の第１変形例を示す断面図である。図６（ｂ）は、ファインダ使用時の視度調整前のカメラ装置２００の第１変形例を示す断面図である。図６（ｃ）は、ファインダ使用時の視度調整後のカメラ装置２００の第１変形例を示す断面図である。
【００６０】
図５に示すカメラ装置２００では、ミラー２１１の下端部に回転軸２１３が設けられていたのに対し、図６に示すカメラ装置２００では、ミラー２１１の中央付近を通るように回転軸２１３が設けられている。図６に示すカメラ装置２００のその他の構成については、図５に示すカメラ装置２００の場合と同様であるため、その説明を省略する。
【００６１】
図６に示すカメラ装置２００は、ファインダ収納時（図６（ａ））におけるミラー２１１の反射面側の空間領域が若干小さくなるものの、図５に示すカメラ装置２００と同等の効果を奏することができる。
【００６２】
（実施の形態２にかかるカメラ装置２００の第２変形例）
次に、図７を参照して、本実施の形態にかかるカメラ装置２００の第２変形例について説明する。図７（ａ）は、ファインダ収納時のカメラ装置２００の第２変形例を示す断面図である。図７（ｂ）は、ファインダ使用時の視度調整前のカメラ装置２００の第２変形例を示す断面図である。図７（ｃ）は、ファインダ使用時の視度調整後のカメラ装置２００の第２変形例を示す断面図である。
【００６３】
図７に示すカメラ装置２００は、図５に示すカメラ装置２００と比較して、接眼レンズ２１０及びファインダ窓２１２がファインダ部２０５の伸縮方向と異なる方向に移動する構成を有しない。つまり、図７に示すカメラ装置２００は、視度調整部による視度調整機能のみを有する。したがって、図７に示すカメラ装置２００は、回転軸２１３、ガイド２１４等の構成要素を有しない。
【００６４】
図７に示すカメラ装置２００は、接眼レンズ２１０及びファインダ窓２１２がファインダ部２０５の伸縮方向と異なる方向に移動する構成を有しないため、規模が大きくなる可能性はあるが、視度調整部を用いて光路長を微調整して視度調整することができる。
【００６５】
（実施の形態２にかかるカメラ装置２００の第３変形例）
次に、図８を参照して、本実施の形態にかかるカメラ装置２００の第３変形例について説明する。図８（ａ）は、ファインダ収納時のカメラ装置２００の第３変形例を示す断面図である。図８（ｂ）は、ファインダ使用時の視度調整前のカメラ装置２００の第３変形例を示す断面図である。図８（ｃ）は、ファインダ使用時の視度調整後のカメラ装置２００の第３変形例を示す断面図である。
【００６６】
図８に示すカメラ装置２００は、図７に示すカメラ装置２００と比較して、ミラー２１１に代えてプリズム（反射部材）２１９を備える。図８に示すカメラ装置２００のその他の構成については、図７に示すカメラ装置２００と同様であるため、その説明を省略する。
【００６７】
図８に示すカメラ装置２００は、図７に示すカメラ装置２００と同等の効果を奏することができる。
【００６８】
＜実施の形態３＞
図９を参照して、実施の形態３にかかるカメラ装置２００の構成例について説明する。図９（ａ）は、ファインダ収納時のカメラ装置２００の構成例を示す断面図である。図９（ｂ）は、ファインダ使用時のカメラ装置２００の構成例を示す断面図である。
【００６９】
図９に示すカメラ装置２００では、図３に示すカメラ装置２００の場合と比較して、ミラー２１１の下端部ではなく中央付近を通るように回転軸２１３が設けられ、かつ、ミラー２１１の反射面とは反対の面側に照明２２０がさらに設けられている。図９に示すカメラ装置２００のその他の構成については、図３に示すカメラ装置２００の場合と同様であるため、その説明を省略する。
【００７０】
ミラー２１１の中央付近を通るように回転軸２１３が設けられることにより、ファインダ収納時（図９（ａ））、ミラー２１１の反射面側に接眼レンズ２１０及びファインダ窓２１２を収納する空間領域が確保された状態で、その反対の面側にも照明２２０等を配置する空間領域が形成される。
【００７１】
このように、本実施の形態にかかるカメラ装置２００は、実施の形態１にかかるカメラ装置２００と同等の効果を奏することができる。さらに、本実施の形態にかかるカメラ装置２００は、ミラー２１１の中央付近を通るように回転軸２１３を設けることにより、ファインダ収納時、ミラー２１１の反射面側に接眼レンズ２１０及びファインダ窓２１２を収納する空間領域を確保しつつ、その反対の面側にも照明２２０等を配置する空間領域を形成することができる。
【００７２】
（実施の形態３にかかるカメラ装置２００の第１変形例）
次に、図１０を参照して、本実施の形態にかかるカメラ装置２００の第１変形例について説明する。図１０（ａ）は、ファインダ収納時のカメラ装置２００の第１変形例を示す断面図である。図１０（ｂ）は、ファインダ使用時のカメラ装置２００の第１変形例を示す断面図である。
【００７３】
図１０に示すカメラ装置２００は、図９に示すカメラ装置２００と比較して、接眼レンズ２１０及びファインダ窓２１２がファインダ部２０５の伸縮方向と異なる方向に移動する構成を有しない。つまり、図１０に示すカメラ装置２００は、ミラー２１１の反射面と反対の面側の空間領域に照明２２０を備えるのみである。したがって、図１０に示すカメラ装置２００は、回転軸２１３、ガイド２１４等の構成要素を有しない。
【００７４】
図１０に示すカメラ装置２００は、接眼レンズ２１０及びファインダ窓２１２がファインダ部２０５の伸縮方向と異なる方向に移動する構成を有しないため、規模が大きくなる可能性はあるが、ミラー２１１の反射面と反対の面側の空間領域を有効に利用することができる。
【００７５】
（実施の形態３にかかるカメラ装置２００の第２変形例）
次に、図１１を参照して、本実施の形態にかかるカメラ装置２００の第２変形例について説明する。図１１（ａ）は、ファインダ収納時のカメラ装置２００の第２変形例を示す断面図である。図１１（ｂ）は、ファインダ使用時のカメラ装置２００の第２変形例を示す断面図を示す断面図である。
【００７６】
図１１に示すカメラ装置２００は、図１０に示すカメラ装置２００と比較して、ミラー２１１に代えてプリズム２１９を備える。図１１に示すカメラ装置２００のその他の構成については、図１０に示すカメラ装置２００と同様であるため、その説明を省略する。
【００７７】
図１１に示すカメラ装置２００は、図１０に示すカメラ装置２００と同等の効果を奏することができる。
【００７８】
以上のように、上記実施の形態１〜３にかかるカメラ装置及びそれを備えた無線通信端末では、接眼レンズが、ファインダ本体の伸縮方向とは異なる方向に移動可能に構成されている。それにより、上記実施の形態１〜３にかかるカメラ装置及びそれを備えた無線通信端末は、ファインダ収納時に、接眼レンズをファインダ本体内部に収納することができるため、規模を小さくすることができる。さらに、上記実施の形態１〜３にかかるカメラ装置及びそれを備えた無線通信端末は、ファインダ使用時に、接眼レンズファインダ本体から張り出させることができるため、必要な光路長を確保することができる。
【００７９】
また、上記実施の形態１〜３にかかるカメラ装置及びそれを備えた無線通信端末は、ファインダ収納時、ファインダ窓（接眼部分）をカメラ装置本体（無線通信端末の筐体）内部に完全に収納することができるため、ファインダ窓の汚れを防ぐことができるとともに、デザイン性を向上させることができる。なお、液晶パネル１０２は、ファインダ部２０５の影響を受けることなく、筐体１０１前面のほぼ全領域に配置されることができる。
【００８０】
なお、本発明は上記実施の形態に限られたものではなく、趣旨を逸脱しない範囲で適宜変更することが可能である。例えば、実施の形態１〜３の構成の全部または一部が組み合わされてもよい。
【符号の説明】
【００８１】
１０  メインボード
１１  アプリケーションプロセッサ
１２  無線処理部
１３  メモリ
１５  電源管理部
１６  ボイス回路
１７  オーディオ回路
１８  センサ
１００  無線通信端末
１０１  筐体
１０２  液晶パネル
１０３  タッチパネル
１０４  操作ボタン
１０７  マイク
１０８  スピーカ
１０９  バッテリ
１１０  ＵＳＢ
１１１  メモリカード
１１２  アンテナ
１２１  ベースバンドプロセッサ
１２２  無線ＬＡＮ
１２３  Ｂｌｕｅｔｏｏｔｈ
２００  カメラ装置
２０１  撮影レンズ
２０３  撮影レンズ
２０４  イメージセンサ
２０５  ファインダ部
２０６  ファインダ筐体
２０７  ファインダ筐体
２０８  液晶パネル
２０９  対物レンズ
２１０  接眼レンズ
２１１  ミラー
２１２  ファインダ窓
２１３  回転軸
２１４  ガイド
２１５  ストッパ部材
２１６  視度調整ダイヤル
２１７  軸
２１８  ストッパねじ
２１９  プリズム
２２０  照明
【図１Ａ】
2014204280.tif 000003
【図１Ｂ】
2014204280.tif 000004
【図１Ｃ】
2014204280.tif 000005
【図２】
2014204280.tif 000006
【図３】
2014204280.tif 000007
【図４】
2014204280.tif 000008
【図５】
2014204280.tif 000009
【図６】
2014204280.tif 000010
【図７】
2014204280.tif 000011
【図８】
2014204280.tif 000012
【図９】
2014204280.tif 000013
【図１０】
2014204280.tif 000014
【図１１】
2014204280.tif 000015